(57)【特許請求の範囲】
【請求項１】
原稿の第１の面を読み取って画像データを生成する第１の読取手段と、
原稿の第２の面を読み取って画像データを生成する、前記第１の読取手段より被写界深度が浅い第２の読取手段と、
原稿を搬送する搬送手段と、
原稿を反転させる反転手段と、
画像データに所定のパターンが含まれるか否かを判定する判定手段と、
前記判定手段において、前記第２の読取手段によって生成された画像データに所定のパターンが含まれると判定できない場合に、
前記反転手段に前記原稿を反転させ、
前記搬送手段に、前記反転された原稿を前記第１の読取手段に搬送させ、
前記第１の読取手段に、前記反転された原稿の第２の面を読み取らせる、
原稿の再読み取り処理を行わせる制御手段とを備えた画像読取装置。
【請求項２】
画像データが所定のパターンを含む画像データであることを示す検出率を算出する算出手段をさらに備え、
前記判定手段は、算出手段の算出する検出率に基づいて、画像データに所定のパターンが含まれるか否かを判定し、
前記制御手段は、前記第２の読取手段によって生成された画像データにおける、前記算出手段によって算出された検出率の値が、所定の範囲に含まれる場合に、前記原稿の再読み取り処理を行なわせることを特徴とする請求項１に記載の画像読取装置。
【請求項３】
前記判定手段は、前記第１の読取手段により生成された画像データについては、前記検出率が第１の判断基準を超えるか否かにより所定のパターンが含まれるか否かを判定し、第２の読取手段により生成された画像データについては、前記検出率が第２の判断基準を超える場合に、所定のパターンが含まれると判定し、前記検出率が第３の判断基準を超えない場合に、所定のパターンが含まれないと判定することを特徴とする請求項２に記載の画像読取装置。
【請求項４】
前記所定の範囲は、第３の判断基準以上であって第２の判断基準以下の値であることを特徴とする請求項３に記載の画像読取装置。
【請求項５】
前記判定手段によって、第１の読取手段により生成された前記第１の面に対応する画像データに所定のパターンが含まれると判定された場合には、
前記制御手段は、前記判定手段による前記原稿の第２の面の判定結果にかかわらず、前記原稿の再読み取り処理を行なわせる制御をしないことを特徴とする請求項１〜４のいずれかに記載の画像読取装置。
【請求項６】
前記所定のパターンは、画像データの出力を禁止することを示すパターンであり、前記判定手段によって画像データに所定のパターンが含まれると判定された場合に、当該画像の出力を禁止することを特徴とする請求項５に記載の画像読取装置。
【請求項７】
前記所定のパターンは、原稿が紙幣であることを特定するためのパターンであることを特徴とする請求項６に記載の画像読取装置。
【請求項８】
前記判定手段によって、第１の読取手段により生成された前記第１の面に対応する画像データに、画像データの出力を許可することを示す所定のパターンが含まれないと判定された場合には、
前記制御手段は、前記判定手段による前記原稿の第２の面の判定結果にかかわらず、前記原稿の再読み取り処理を行なわせる制御をしないことを特徴とする請求項１〜４のいずれかに記載の画像読取装置。
【請求項９】
前記判定手段によって画像データに画像データの出力を許可することを示す所定のパターンが含まれないと判定された場合に、当該画像の出力を禁止することを特徴とする請求項８に記載の画像読取装置。
【請求項１０】
前記第１の読取手段はＣＣＤ読取部であり、前記第２の読取手段はＣＩＳ読取部である請求項１〜９のいずれかに記載の画像読取装置。
【発明の詳細な説明】
【技術分野】
【０００１】
本発明は、原稿を読み取って、原稿に含まれる所定のパターンを検出する画像読取装置に関する。
【背景技術】
【０００２】
近年、原稿の不正なコピーを防ぐ目的で、紙幣認識機能や地紋セキュリティ機能を持つ画像読取装置が開発されている。
【０００３】
紙幣認識とは、原稿が紙幣や有価証券などの特別な原稿かどうかを判断するものである。このような紙幣認識は、一般に、原稿を読み取って得られる画像データに、特定パターンが含まれるかどうかを調べることで実現される。
【０００４】
また、地紋セキュリティ機能とは、原稿画像に、コピー時に再現される「複写禁止」の文字列等を地紋として印刷しておくことで、機密文書の不正なコピーを防ぐ技術である。特許文献１（特開２００５−１４２９１７号公報）には、原稿をスキャナで読み取って得た画像データが機密文書であるかどうかを、画像データのドット密度に基づいて判断する画像処理装置が開示されている。
【０００５】
このように原稿を読み取って、原稿に紙幣に特有のパターンや、地紋などの所定のパターンが含まれているかどうかを判断し、判断結果を利用することで、原稿の不正なコピーを防ぐことができる。
【０００６】
ところで、その両面に画像が印刷された原稿において、上記したような所定のパターンが一方の面にのみ印刷されている場合、当該原稿における両面の画像に対して不正コピーが禁止されている場合であっても、所定のパターンを含まない面については原稿のコピーを行なうことが可能となってしまう。そこで、原稿に所定のパターンが含まれているかを確実に判断するためには、原稿の両面を読み取る必要がある。
【０００７】
原稿の両面を読み取るための１つの方法として、片面読み取りと原稿反転とを組み合わせる方法がある。
【０００８】
原稿の両面を読み取るための他の方法として、２つの読み取り部を備える画像読取装置を用い、１つの読み取り部で原稿の一方の面を読み取り、原稿のもう一方の面をもう１つの別の読み取り部で読み取る方法（以下、両面同時読み取りとよぶ）がある。両面同時読み取りは、２つの画像読み取り部を備える大型の装置を必要とするものの、読み取りにかかる時間を短縮できるので、広く用いられている。
【０００９】
なお、両面同時読み取り用の画像読取装置には、読取部としてＣＣＤ（ｃｈａｒｇｅ−ｃｏｕｐｌｅｄ  ｄｅｖｉｃｅ）と、ＣＩＳ（ｃｏｎｔａｃｔ  ｉｍａｇｅ  ｓｅｎｓｏｒ）を組み合わせた構成を持つものがある。
【００１０】
ＣＣＤは、ハロゲンランプやキセノン管ランプなどの光源からの光を原稿にあてて、その反射光を縮小光学系を介して原稿を読み取る。ＣＩＳは、ＬＥＤ（ｌａｓｅｒ  ｅｍｉｓｓｉｏｎ  ｄｉｏｄｅ）光源からの光を原稿に当てて、原稿をそのままの大きさで読み取る。
【００１１】
ＣＩＳによる読み取りは、ＣＣＤによる読み取りに比べて、被写界深度が浅く、少しの搬送ばらつきでもピントがぼけてしまうため、読み取り精度が低い。しかし、ＣＣＤにより読み取りを行なう場合には、光学系を原稿とＣＣＤとの間に設置する必要があり、大きなスペースを必要とするという短所がある。そこで、高い読み取り精度と装置の小型化の両立を図るため、両方式を組み合わせた装置がある。
【００１２】
特許文献２（特開２００７−７４５００号公報）には、原稿反転機構を有する画像読取装置が開示されている。特許文献２に記載の画像読取装置は、白黒画像およびカラー画像のいずれをも読み取れるＣＣＤによる読み取り部と、白黒の画像しか読み取れないが、読み取った画像が白黒、カラーのいずれであるかは判断できる、ＣＩＳによる読み取り部とを備える。そして、ＣＩＳによる読み取り部で読み取られた画像がカラー画像である場合のみ、原稿を反転し、再び原稿の読み取りを行なう。したがって、カラー画像および白黒画像からなる複数の原稿を、効率よくスキャンできる。
【００１３】
特許文献３（特開２００５−１２４４２号公報）には、速度優先モードにおいては、ＣＣＤとＣＩＳによる両面同時読み取りを行ない、画質優先モードでは、ＣＣＤにより原稿の表面および裏面を読み取る画像読み取り装置が開示されている。
【特許文献１】特開２００５−１４２９１７号公報
【特許文献２】特開２００７−７４５００号公報
【特許文献３】特開２００５−１２４４２号公報
【発明の開示】
【発明が解決しようとする課題】
【００１４】
原稿に、所定のパターンが含まれているか判断するために、ＣＩＳとＣＣＤを併用した両面同時読み取り技術を単純に用いたのでは、ＣＩＳとＣＣＤの読み取り精度が異なるため、よい判断精度が得られない場合がある。
【００１５】
本発明は、上記のような問題を解決するためになされたものであって、読み取り精度の異なる２種類の読取装置で原稿を読み取り、かつ、原稿に所定のパターンが含まれるかどうかを高精度に判断できる画像読取装置を提供することを目的とする。
【課題を解決するための手段】
【００１６】
上述の課題を解決するため、本願発明は、原稿の第１の面を読み取って画像データを生成する第１の読取手段と、原稿の第２の面を読み取って画像データを生成する、第１の読取手段より被写界深度が浅い第２の読取手段と、原稿を搬送する搬送手段と、原稿を反転させる反転手段と、画像データに所定のパターンが含まれるか否かを判定する判定手段と、判定手段において、第２の読取手段によって生成された画像データに所定のパターンが含まれると判定できない場合に、反転手段に原稿を反転させ、搬送手段に、反転された原稿を第１の読取手段に搬送させ、第１の読取手段に、反転された原稿の第２の面を読み取らせる、原稿の再読み取り処理を行わせる制御手段とを備える。
【００１７】
好ましくは、画像データが所定のパターンを含む画像データであることを示す検出率を算出する算出手段をさらに備え、判定手段は、算出手段の算出する検出率に基づいて、画像データに所定のパターンが含まれるか否かを判定し、制御手段は、第２の読取手段によって生成された画像データにおける、算出手段によって算出された検出率の値が、所定の範囲に含まれる場合に、原稿の再読み取り処理を行なわせる。
【００１８】
さらに好ましくは、判定手段は、第１の読取手段により生成された画像データについては、検出率が第１の判断基準を超えるか否かにより所定のパターンが含まれるか否かを判定し、第２の読取手段により生成された画像データについては、検出率が第２の判断基準を超える場合に、所定のパターンが含まれると判定し、検出率が第３の判断基準を超えない場合に、所定のパターンが含まれないと判定する。
【００１９】
さらに好ましくは、所定の範囲は、第３の判断基準以上であって第２の判断基準以下の値である。
【００２０】
好ましくは、判定手段によって、第１の読取手段により生成された第１の面に対応する画像データに所定のパターンが含まれると判定された場合には、制御手段は、判定手段による原稿の第２の面の判定結果にかかわらず、原稿の再読み取り処理を行なわせる制御をしない。
【００２１】
さらに好ましくは、所定のパターンは、画像データの出力を禁止することを示すパターンであり、判定手段によって画像データに所定のパターンが含まれると判定された場合に、当該画像の出力を禁止する。
【００２２】
さらに好ましくは、所定のパターンは、原稿が紙幣であることを特定するためのパターンである。
【００２３】
好ましくは、判定手段によって、第１の読取手段により生成された第１の面に対応する画像データに、画像データの出力を許可することを示す所定のパターンが含まれないと判定された場合には、制御手段は、判定手段による原稿の第２の面の判定結果にかかわらず、原稿の再読み取り処理を行なわせる制御をしない。
【００２４】
さらに好ましくは、判定手段によって画像データに画像データの出力を許可することを示す所定のパターンが含まれないと判定された場合に、当該画像の出力を禁止する。
【００２５】
好ましくは、第１の読取手段はＣＣＤ読取部であり、第２の読取手段はＣＩＳ読取部である。
【発明の効果】
【００２６】
本発明によれば、第１の読み取り部で原稿の第１の面を読み取り、第１の読み取り部に比べ読取精度が低い第２の読み取り部で原稿の第２の面を読み取る。そして、第２の読み取り部による第２の面の読取結果から、第２の面が所定のパターンを含むか確実に判断できない場合、原稿を反転させ、第２の面を第１の読み取り部により再度、読み取らせ、その読取結果から第２の面が所定のパターンを含むか判断する。その結果、本発明に係る画像処理装置は、読み取り精度の異なる２種類の読取方式で原稿を読み取るものでありながら、原稿に所定のパターンが含まれるかを高い精度で判断できる。
【発明を実施するための最良の形態】
【００２７】
以下、図面を参照しつつ、本発明の実施の形態について説明する。以下の説明では、同一の部分には同一の符号を付してある。それらの名称および機能も同じである。したがってそれらについての詳細な説明は繰り返さない。
【００２８】
［画像処理装置の概要］
図１は、本発明に係る画像読取装置を備えた画像処理装置１００の概観図である。画像処理装置１００は、上部ユニット１１０と、原稿トレイ１２０と、原稿排紙トレイ１３０と、下部ユニット１４０（以上、画像読取装置）と、印刷部１５０とを備える。印刷部１５０は、複数の給紙トレイ１５２と、排紙トレイ１５４とを含む。
【００２９】
原稿トレイ１２０には、上部ユニット１１０へ搬送する原稿がセットされる。原稿排紙トレイ１３０には、上部ユニット１１０から原稿が排出される。
【００３０】
ここで、上部ユニット１１０および下部ユニット１４０、つまり、本発明に係る画像読取装置の詳細について、図２を参照して、説明する。図２は、上部ユニット１１０および下部ユニット１４０の断面図である。
【００３１】
上部ユニット１１０は、搬送ローラ２０２〜２１２と、ＣＩＳ読取部２２０と、部材２３０と、フラップ２４０を含む。
【００３２】
各搬送ローラは、原稿トレイ１２０にセットされた原稿を搬送し、最終的に原稿排紙トレイ１３０に排出する。ＣＩＳ読取部２２０は、ＬＥＤ（Ｌｉｇｈｔ  Ｅｍｉｔｔｉｎｇ  Ｄｉｏｄｅ）光を原稿に照射し、その反射光を検出する。また、検出結果に応じた画像データ（以下、読取データ）を生成する。部材２３０は、ＣＩＳ読取部２２０に原稿を押し付けるとともに原稿を搬送する。フラップ２４０は、搬送ローラ２１１および搬送ローラ２１２により搬送路内に送り込まれた原稿の搬送経路を切り換えることで原稿を反転させる。
【００３３】
下部ユニット１４０は、透明な原稿台２５０と、可動ステージ２６０と、光源２６５と、第１のミラー２７０と、第２のミラー２７２と、第３のミラー２７４と、ＣＣＤ２８０とを含む。光源２６５および第１のミラー２７０は、可動ステージ２６０上に設置されている。
【００３４】
原稿台２５０の上には、原稿が載置される。可動ステージ２６０は、原稿台２５０の下を、図中矢印の方向に沿って移動する。光源２６５は、原稿に光を照射する。第１のミラー２７０は、原稿からの反射光を受ける。第１のミラー２７０と、第２のミラー２７２と、第３のミラー２７４とは、原稿からの光をＣＣＤ２８０の光検出部に導く光路を形成するように配置されている。ＣＣＤ２８０は、原稿からの反射光を検出し、検出結果に応じた読取データを生成する。
【００３５】
また、下部ユニット１４０は、処理部２９０を備える。処理部２９０は、ＣＰＵ（ｃｅｎｔｒａｌ  ｐｒｏｃｅｓｓｉｎｇ  ｕｎｉｔ）２９２と、ＲＡＭ（ｒａｎｄｏｍ−ａｃｃｅｓｓ  ｍｅｍｏｒｙ）２９４と、ＲＯＭ（ｒｅａｄ−ｏｎｌｙ  ｍｅｍｏｒｙ）２９６と、フラッシュメモリ２９８を含む。ＣＰＵ２９２は、画像処理装置１００の各部の動作を制御する。ＲＡＭ２９４は、ＣＰＵ２９２が処理を実行する際に用いられる、一時的なデータを格納する。ＲＯＭ２９６は、画像処理装置１００の制御のためのプログラム等を格納する。フラッシュメモリ２９８は、読取部によって読み取られた読取データ等の画像データ、原稿が所定のパターンを含むかの判断にあたって用いられる判別レベル、判断の基準となる基準パターン、部数や用紙サイズ等のコピーの設定値等を格納する。なお、ここでは、ＣＰＵ２９２と、ＲＡＭ２９４と、ＲＯＭ２９６と、フラッシュメモリ２９８とが、下部ユニット１４０に含まれるとしているが、下部ユニット１４０内に限られるものではない。
【００３６】
図１に戻って、印刷部１５０は、読み取られた原稿を、給紙トレイ１５２に供給された用紙等の記録媒体に画像を印刷する。すなわち、ＣＩＳ読取部２２０、ＣＣＤ２８０の出力する読取データに基づく画像を、用紙に印刷する。その後、用紙を、排紙トレイ１５４に排出する。
【００３７】
図３は、本発明に係る画像処理装置１００の上面図である。下部ユニット１４０の上面には、操作パネル３１０と、入力キー３２０と、スタートキー３３０とが配置されている。
【００３８】
操作パネル３１０は、利用者の指示を受け付ける。また、出力条件設定等、画像処理装置１００において設定可能な各種の情報を表示する。入力キー３２０は、数字キー、クリアキーを含む。入力キー３２０が押下されると、出力条件等の設定値が入力される。スタートキー３３０が押下されると、画像処理装置１００は、入力された設定にしたがって、画像データの印刷を開始する。
【００３９】
図４は、操作パネル３１０の表示の一例を示す図である。操作パネル３１０には、コピー種類欄４１０と、用紙サイズ欄４２０と、部数欄４３０と、倍率欄４４０と、濃度欄４５０と、読取条件設定欄４６０とが表示される。利用者が、操作パネル３１０上の各欄に対応する部分に触れると、各欄が選択される。
【００４０】
コピー種類欄４１０が選択されると、操作パネル３１０には、カラーあるいは白黒のどちらで印刷するかを利用者に選択させるための画面が表示される。利用者が操作パネル３１０に触れる等の操作を行なうことで、コピー種類がカラーあるいは白黒のいずれかに確定される。なお、その他のコピー種類の設定を含んでもよいことは言うまでもない。
【００４１】
用紙サイズ欄４２０が選択されると、操作パネル３１０には、用紙サイズを利用者に選択させるための画面が表示される。利用者が操作パネル３１０に触れる等の操作を行なうことで、用紙サイズが確定される。
【００４２】
部数欄４３０が選択されると、操作パネル３１０には、コピーの部数を利用者に入力させるための画面が表示される。利用者が操作パネル３１０に触れる、入力キー３２０の数字キーを押す等の操作を行なうことで、部数が確定される。
【００４３】
倍率欄４４０が選択されると、操作パネル３１０には、出力画像の原稿に対する倍率を利用者に選択（入力）させるための画面が表示される。利用者が操作パネル３１０に触れる等の操作を行なうことで、倍率が確定される。
【００４４】
濃度欄４５０が選択されると、操作パネル３１０には、出力濃度設定を利用者に選択させるための画面が表示される。利用者が操作パネル３１０に触れる等の操作を行なうことで、濃度が確定される。
【００４５】
読取条件設定欄４６０が選択されると、操作パネル３１０には、原稿の読取条件を利用者に選択させるための画面が表示される。利用者が操作パネル３１０に触れる等の操作を行なうことで、読取条件が確定される。本実施の形態の画像処理装置においては解像度の決定等の他に読取条件として、読み取られた原稿が、紙幣であるか、あるいは、地紋等のセキュリティ情報を含むかを判断する際に用いられる判別レベルが含まれる。この判別レベルの詳細については、後述する。
【００４６】
図５は、画像処理装置１００の機能的構成を示すブロック図である。以下、図５を参照して、画像処理装置１００の機能的構成について説明する。
【００４７】
画像処理装置１００は、入力部５１０と、制御部５２０と、搬送部５３０と、反転部５４０と、画像読取部５５０と、記憶部５６０と、表示部５７０と、印刷部５８０と、画像ファクシミリ送受信部５９０と、ネットワーク接続部５９５とを備える。
【００４８】
入力部５１０は、外部からの指示を受け付ける。本実施の形態においては、操作パネル３１０、入力キー３２０、スタートキー３３０が入力部５１０に相当する。
【００４９】
制御部５２０は、入力部５１０が受け付けた指示等に基づいて、画像処理装置１００の動作を制御する。本実施の形態においては、ＣＰＵ２９２が、制御部５２０に相当する。ただし、制御部５２０の各機能は、ハードウェアによって実現されてもよい。
【００５０】
制御部５２０は、読取制御部５２２と、レベル設定部５２４と、印刷設定部５２６と、判断部５２８とを含む。判断部５２８は、パターンマッチング部５２９を有する。
【００５１】
読取制御部５２２は、原稿の読み取りのため、指示に基づいて、搬送部５３０と、原稿読取部５５０とを制御する。また、１回目の読み取り時にＣＩＳ読取部２２０により読み取られた面（画像データ）が所定のパターンを含むかどうか確定できない場合、搬送部５３０と、反転部５４０と、画像読取部５５０とを制御し、画像読取部５５０に原稿を再度読み取らせる。
【００５２】
レベル設定部５２４は、指示に基づいて、原稿が所定のパターンを含むかの判断に用いられる判別レベル５６４を設定する。
【００５３】
印刷設定部５２６は、指示に基づいて、記憶部５６０内の印刷設定５６８に出力条件等の各種情報を設定する。
【００５４】
パターンマッチング部５２９は、読取データ５６２における基準パターン５６６の検出率を算出する。判断部５２８は、検出率（以下では、一致率と呼ぶ）および判別レベル５６４に基づいて、原稿に基準パターン５６４が含まれるかどうか判断し、判断結果を印刷部５８０に出力する。
【００５５】
搬送部５３０は、原稿を搬送する。本実施の形態では、各搬送ローラおよび部材２３０が搬送部５３０に相当する。ただし、搬送部５３０として使用されるものは、これらに限られない。
【００５６】
反転部５４０は、搬送路内において原稿を反転させる。本実施の形態では、フラッパ２４０、搬送ローラ２１１、搬送ローラ２１２が反転部５４０に相当する。
【００５７】
画像読取部５５０は、原稿を読み取り、読取データ５６２を記憶部５６０に出力する。画像読取部５５０は、第１の読取部５５２と、第２の読取部５５４とを含む。第１の読取部５５２による原稿の読取精度は、第２の画像読取部５５４による原稿の読取精度に比べて高いものとする。本実施の形態においては、可動ステージ２６０、光源２６５、第１のミラー２７０、第２のミラー２７２、第３のミラー２７４、ＣＣＤ２８０で構成されるＣＣＤ読取部が、第１の画像読取部５５２に相当する。また、ＣＩＳ読取部２２０が、第２の画像読取部５５４に相当する。
【００５８】
記憶部５６０は、読取データ５６２と、判別レベル５６４と、読取データ５６２が紙幣や地紋（セキュリティ情報）を含むものであるかを判定するための基準パターン５６６と、印刷設定５６８とを格納する。基準パターン５６６は、紙幣の判定に用いられる紙幣パターン５６６ａと、地紋（セキュリティ情報）の検出に用いられる地紋パターン（セキュリティパターン）５６６ｂとを含む。本実施の形態では、ＲＡＭ２９４やＲＯＭ２９６やフラッシュメモリ２９８が記憶部５６０に相当する。
【００５９】
表示部５７０は、印刷設定５６８等の画像処理装置１００内部の情報を表示する。本実施の形態においては、操作パネル３１０が表示部５７０に相当する。
【００６０】
印刷部５８０は、判断部５２８の判断結果に基づいて、読取データ５６２に基づく画像を用紙に印刷する。印刷部５８０は、画像形成部５８２と、画像出力部５８４とを含む。
【００６１】
画像形成部５８２は、判断部５２８の判断結果および印刷設定５６８に基づいて、出力する画像データ（以下、出力データとよぶ）を作成する。
【００６２】
コピーを許可する旨の判断結果であれば、画像形成部５８２は、印刷設定５６８に設定された出力条件に基づいて読取データ５６２に対して画像処理等を行ない、出力データを作成する。例えば、原稿が紙幣でないと判断された場合や、検出された地紋が表わす内容がコピーを許可する旨の内容であった場合、あるいは、読取データにおいてコピー許可を表わす地紋が検出されなかった場合に、このような出力データを作成する。
【００６３】
コピーを禁止する旨の判断結果であれば、画像形成部５８２は、出力データを作成しない。あるいは、読取データ５６２に「コピー禁止」等の文字を重ねた出力データを作成してもよい。例えば、原稿が紙幣であると判断された場合や、検出された地紋が表わす内容がコピーを禁止する旨の内容であった場合が、この場合に相当する。
【００６４】
画像出力部５８４は、画像形成部５８２が作成した出力データを、コピー用紙に印刷する。なお、出力データの印刷対象は、紙に限られず、フィルム等の他の記録媒体であってもよい。
【００６５】
ファクシミリ送受信部５９０は、他の装置にファクシミリデータを送信する。また、他の装置からファクシミリデータを受信する。ネットワーク接続部５９５は、画像処理装置１００と他の装置をネットワーク接続する。
【００６６】
［第１の実施の形態］
第１の実施の形態では、紙幣認識に利用される場合の画像処理装置１００の処理について説明する。
【００６７】
本実施の形態に係る画像処理装置１００は、紙幣認識にあたり、ＣＩＳ読取部２２０あるいはＣＣＤ２８０が取得した読取データ５６２における紙幣パターン５６６ａの検出率を算出する。検出率が高いほうが紙幣らしさが高いので、検出率が設定された判別レベル５６４を超える場合に原稿が紙幣であると判断し、検出率が判別レベル５６４を超えない場合に原稿が紙幣でないと判断するものとする。
【００６８】
本実施の形態においては、ＣＩＳ読取部２２０による読取データ５６２に基づいて原稿が紙幣か判断する際に用いられる判別レベル５６４と、ＣＣＤ２８０による読取データ５６２に基づいて原稿が紙幣か判断する際に用いられる判別レベル５６４とは、異なる値に設定される。このことについて図６を参照して説明する。図６は、第１の実施の形態における判別レベル５６４について説明するための図である。
【００６９】
判断部５２８は、ＣＣＤ２８０による読取データ５６２および第１の判別レベルに基づいて、読取データ５６２に含まれる所定のパターンが紙幣パターン５６６ａと一致するかどうか判断する。第１の判別レベルの値を“Ｌｅｖｅｌ１”とする。判断部５２８は、一致率がＬｅｖｅｌ１以上である場合、原稿が紙幣であると判断する。また、判断部５２８は、一致率がＬｅｖｅｌ１未満である場合、原稿は紙幣でないと判断する。
【００７０】
ここで、「一致率」とは、原稿面が紙幣とどれぐらい一致するかを表わす尺度のことを指す。具体的には、読み取られた読取データ５６２に含まれる所定のパターンの、紙幣パターン５６６ａとの一致率である。
【００７１】
これに対し、判断部５２８は、ＣＩＳ読取部２２０の読取データ５６２からは、第２の判別レベルおよび第３の判別レベルを用いて、原稿が紙幣かどうかを判断する。第２の判別レベルの値を“Ｌｅｖｅｌ２”とする。また、第３の判別レベルの値を“Ｌｅｖｅｌ３”とする。判断部５２８は、一致率がＬｅｖｅｌ２以上である場合は、原稿が紙幣であると判断する。また、一致率がＬｅｖｅｌ３以下である場合は、原稿が紙幣でないと判断する。そして、一致率がＬｅｖｅｌ２とＬｅｖｅｌ３の間にあるときは、原稿が紙幣であるかどうか確定できないと判断する。
【００７２】
ここで、Ｌｅｖｅｌ２はＬｅｖｅｌ１よりも高い一致率を示す値である。また、Ｌｅｖｅｌ３はＬｅｖｅｌ１よりも低い一致率を示す値である。ＣＩＳの読み取りの精度はＣＣＤの読み取りの精度に比べて低いため、原稿が確実に紙幣であると判断するのに用いる判別レベルの値Ｌｅｖｅｌ２をＬｅｖｅｌ１より高く、原稿が確実に紙幣でないと判断するのに用いる判別レベルの値Ｌｅｖｅｌ３をＬｅｖｅｌ１より低く設定している。
【００７３】
図７を参照して第１の実施の形態に係る画像処理装置１００が行なう処理について説明する。図７は、第１の実施の形態に係る画像処理装置１００が行なう処理を示したフローチャートである。
【００７４】
ステップＳ７０１において、ＣＰＵ２９２は、搬送ローラ２０２等を制御し、原稿を搬送する。
【００７５】
ステップＳ７０３において、ＣＰＵ２９２は、ＣＩＳ読取部２２０、ＣＣＤ２８０、可動ステージ２６０等を制御し、原稿の両面を読み取る。給紙トレイ１２０にセットされた原稿の上向きにある面（以下、表面とよぶ）をＣＣＤ２８０に、給紙トレイ１２０にセットされた時点で下向きにある面（以下、裏面とよぶ）をＣＩＳ読取部２２０に、それぞれ、読み取らせる。
【００７６】
ステップＳ７０５において、ＣＰＵ２９２は、パターンマッチングにより、ＣＣＤ２８０により得られた読取データ５６２における、紙幣パターン５６６ａとの一致率を算出する。そして、算出された一致率を、表面の紙幣らしさとみなして、表面の紙幣らしさが、Ｌｅｖｅｌ１以下であるか判断する。
【００７７】
なお、本実施の形態においては、日本国紙幣のように、両面印刷された紙幣の認証にあたっても、片面のみの紙幣パターン５６６ａを用いるものとする。紙幣両面のパターンをそれぞれ記憶部５６０に格納しておき、ＣＣＤ２８０で読み取る原稿の表面が、紙幣の表面あるいは裏面に一致するかどうかを判断する構成でも、確かに、紙幣の認証はできるが、このような構成は、紙幣両面のパターンを格納するため大きな記憶容量を必要とするからである。
【００７８】
表面の紙幣らしさがＬｅｖｅｌ１以下でない場合（ステップＳ７０５においてＮｏ）、ＣＰＵ２９２は、ステップＳ７０７において、印刷部１５０に画像の出力を中止させる。ＣＣＤ２８０による読取データ５６２の紙幣らしさがＬｅｖｅｌ１以上であると判断された時点で、原稿が紙幣である可能性が高いと分かるからである。このような処理とすることにより、裏面の紙幣らしさについて判断するためのステップＳ７０９以降の処理を省略することができ、処理を高速化できる。
【００７９】
表面の紙幣らしさがＬｅｖｅｌ１以下の場合（ステップＳ７０５においてＹｅｓ）、ＣＰＵ２９２は、ステップＳ７０９において、ＣＩＳ読取部２２０により得られた読取データ５６２と、紙幣パターン５６６ａとのパターンマッチングを行なう。そして、読取データ５６２における紙幣パターン５６６ａとの一致率を、裏面の紙幣らしさとみなして、裏面の紙幣らしさが、Ｌｅｖｅｌ２以下であるか判断する。
【００８０】
裏面の紙幣らしさがＬｅｖｅｌ２以下でない場合（ステップＳ７０９においてＮｏ）、ＣＰＵ２９２は、ステップＳ７０７において、印刷部１５０に画像の出力を中止させる。このように判断された時点で、原稿が紙幣である可能性が高いと分かるからである。
【００８１】
裏面の紙幣らしさがＬｅｖｅｌ２以下である場合（ステップＳ７０９においてＹｅｓ）、ＣＰＵ２９２は、ステップＳ７１１において、裏面の紙幣らしさがＬｅｖｅｌ３以下であるか判断する。
【００８２】
裏面の紙幣らしさがＬｅｖｅｌ３以下である場合（ステップＳ７１１においてＹｅｓ）、表面も裏面も紙幣パターンと一致しない、つまり、原稿は紙幣でないので、ＣＰＵ２９２は、ステップＳ７１３において、印刷部１５０に画像を出力させる。
【００８３】
裏面の紙幣らしさがＬｅｖｅｌ３以下でない場合（ステップＳ７１１においてＮｏ）、裏面の紙幣らしさは、Ｌｅｖｅｌ２とＬｅｖｅｌ３との間にあるため、裏面が紙幣であるとも紙幣でないともいえない。そこで、次の一連の処理により、原稿を反転させて、裏面をより読み取り精度の高いＣＣＤ２８０に読み取らせ、その読取データから、裏面の紙幣らしさを判断する。
【００８４】
まず、ＣＰＵ２９２は、ステップＳ７１５において、搬送ローラ２１１、搬送ローラ２１２、スラップ２４０により、原稿を反転させ、搬送路に戻させる。
【００８５】
次に、ＣＰＵ２９２は、ステップＳ７１７において、搬送ローラ２０３〜２１０に、原稿を搬送させる。
【００８６】
ステップＳ７１９において、ＣＰＵ２９２は、ＣＣＤ２８０に、原稿の裏面を読み取らせる。
【００８７】
ステップＳ７２１において、ＣＰＵ２９２は、ＣＣＤ２８０により得られた読取データ５６２と、紙幣パターン５６６ａとのパターンマッチングを行なう。そして、読取データ５６２における紙幣パターン５６６ａとの一致率を、裏面の紙幣らしさとみなして、裏面の紙幣らしさが、Ｌｅｖｅｌ１以下であるか判断する。
【００８８】
裏面の紙幣らしさがＬｅｖｅｌ１以下である場合（ステップＳ７２１においてＹｅｓ）、原稿は紙幣でないとみなせるので、ＣＰＵ２９２は、ステップＳ７１３において、印刷部１５０に画像を出力させる。
【００８９】
裏面の紙幣らしさがＬｅｖｅｌ１以下でない場合（ステップＳ７２１においてＮｏ）、原稿の裏面が紙幣データである可能性が高い、すなわち、原稿が紙幣である可能性が高いので、ＣＰＵ２９２は、ステップＳ７０７において、印刷部１５０に画像の出力を中止させる。
【００９０】
つまり、本発明に係る画像処理装置１００は、ＣＩＳの読取データ５６２における所定のパターンとの紙幣らしさの一致率が、ＣＣＤの読み取りデータの判定に用いられる判別レベルを含む所定の範囲に含まれる場合に、原稿の再読み取りを行なわせることで、反転処理の回数を抑制しつつ、読み取り精度を向上している。
【００９１】
上では、ＣＩＳの読み取りにより得られる読取データ５６２に基づいて原稿が紙幣であるかを判断するにあたり、２つの判別レベルを用いる例を説明したが、ＣＰＵ２９２は、１つの判別レベルだけを用いて、ＣＩＳ読取部２２０による読取データ５６２から、原稿が紙幣かどうか判断してもよい。例えば、Ｌｅｖｅｌ３の判別レベルだけを用いて紙幣認識を行なう場合は、図７のステップＳ７０９の処理が省略される。
【００９２】
ただし、本実施の形態のように２つの判別レベルを用いる場合のほうが、より高い精度で原稿と紙幣との一致率が判断できる。
【００９３】
なお、以上では、画像処理装置１００を紙幣認識に用いる場合について説明してきたが、本発明は、紙幣に限られず、有価証券、切手などコピーが禁止されている特殊な原稿の認識にも用いることができる。また、紙幣パターン５６６ａのかわりに、コピー禁止の情報を表わす地紋パターン５６６ｂを用いて、地紋セキュリティの施された原稿の不正なコピーを防止することができる。
【００９４】
［第２の実施の形態］
第１の実施の形態に係る画像処理装置１００は、表面および裏面のいずれかで所定のパターンが検出されれば、コピーを禁止するものであった。
【００９５】
第２の実施の形態では、表面および裏面のいずれかで所定のパターンが検出されなければコピーを禁止する、つまり、表面および裏面で所定のパターンが検出されたときのみコピーを許可する画像処理装置１００について説明する。特に、ここでは、所定のパターンが「コピー許可」の情報を表わす地紋（地紋パターン）であるとして説明する。
【００９６】
第２の実施の形態に係る画像処理装置１００の判断部５２８は、原稿に、地紋パターン５６６ｂと一致する地紋が埋め込まれているかどうかを判断する。
【００９７】
判断部５２８は、第１の実施の形態と同様、原稿を読み取って得られる画像データの地紋の検出率と判断レベル５６４とを比較することで、原稿に地紋が埋め込まれているか判断する。
【００９８】
第２の実施の形態において用いられる判別レベル５６４について、図８を参照して説明する。図８は、第２の実施の形態における判別レベル５６４について説明するための図である。
【００９９】
ＣＣＤで読み取られた原稿に地紋が含まれるかどうかは、第１の判別レベル５６４より判断される。第１の判別レベル５６４の値を“Ｌｅｖｅｌ１”とする。判断部５２８は、ＣＣＤ方式の読み取りで得られる読取データ内での地紋の検出率がＬｅｖｅｌ１以上である場合、原稿に地紋が含まれると判断する。また、判断部５２８は、検出率がＬｅｖｅｌ１未満である場合、原稿に地紋が含まれないと判断する。
【０１００】
これに対し、判断部５２８は、ＣＩＳの読み取りで得られる読取データ内での地紋の検出率が第２の判別レベルであるＬｅｖｅｌ２以上である場合、原稿に地紋が含まれると判断する。また、判断部５２８は、検出率がＬｅｖｅｌ２未満である場合、原稿に地紋が含まれるかどうか確定できないと判断する。ここで、Ｌｅｖｅｌ２は、Ｌｅｖｅｌ１よりも高く設定される。ＣＩＳの読み取りの精度はＣＣＤの読み取りの精度に比べて低いためである。
【０１０１】
図９を参照して第２の実施の形態に係る画像処理装置１００が行なう処理について説明する。図９は、第２の実施の形態に係る画像処理装置１００が行なう処理を示したフローチャートである。
【０１０２】
ステップＳ９０１において、ＣＰＵ２９２は、搬送ローラ２０２等を制御し、原稿を搬送する。
【０１０３】
ステップＳ９０３において、ＣＰＵ２９２は、ＣＩＳ読取部２２０、ＣＣＤ２８０、可動ステージ２６０等を制御し、原稿の表面をＣＣＤ２８０に読み取らせる。また、原稿の裏面を、ＣＩＳ読取部２２０に読み取らせる。
【０１０４】
ステップＳ９０５において、ＣＰＵ２９２は、ＣＣＤ２８０により得られた表面の読取データ５６２と地紋パターン５６６ｂとのパターンマッチングにより、表面における地紋の検出率を算出する。そして、地紋の検出率が、Ｌｅｖｅｌ１以上であるか判断する。
【０１０５】
表面における地紋の検出率がＬｅｖｅｌ１以上でない場合（ステップＳ９０５においてＮｏ）、ＣＰＵ２９２は、ステップＳ９０７において、印刷部１５０に画像の出力を中止させる。
【０１０６】
本実施の形態では、ＣＰＵ２９２は、裏面における地紋の検出率にかかわらず、出力を中止させるものとしている。このようにすることで、コピーが許可されていない面を含む原稿のコピーを確実に禁止することができる。
【０１０７】
ただし、一方の面にはコピーを許可する地紋が埋め込まれておらず、他方の面にはコピーを許可する地紋が埋め込まれている原稿の場合、このようにすると、コピーを許可する地紋が埋め込まれている面についてもコピーができない。そこで、ＣＰＵ２９２は、ステップＳ９０７において、地紋の検出率が低い面のみの出力を印刷部１５０に禁止させるようにしてもよい。
【０１０８】
なお、ＣＰＵ２９２は、ステップＳ９０７において、画像の出力を中止させるものとしているが、このかわりに、「コピー禁止」の文字を重ねて出力するなど、原稿の完全なコピーを制限する処理を印刷部１５０に行なわせてもよい。
【０１０９】
表面における地紋の検出率がＬｅｖｅｌ１以上の場合（ステップＳ９０５においてＹｅｓ）、ＣＰＵ２９２は、ステップＳ９０９において、ＣＩＳ読取部２２０により得られた裏面の読取データ５６２と地紋パターン５６６ｂとのパターンマッチングにより、裏面における地紋の検出率を算出する。そして、地紋の検出率が、Ｌｅｖｅｌ２以上であるか判断する。
【０１１０】
裏面における地紋の検出率がＬｅｖｅｌ２以上である場合（ステップＳ９０９においてＹｅｓ）、表面および裏面の両方において、地紋が検出されている。つまり、原稿の両面についてコピーが許可されている。したがって、ＣＰＵ２９２は、ステップＳ９１１において、印刷部１５０に画像を出力させる。
【０１１１】
裏面における地紋の検出率がＬｅｖｅｌ２以上でない場合（ステップＳ９０９においてＮｏ）、裏面に地紋が埋め込まれているかどうか判断できない。そこで、次の一連の処理により、原稿を反転させて、裏面をより読み取り精度が高いＣＣＤ２８０に読み取らせ、その読取データ５６２から、裏面が地紋を含むか判断する。
【０１１２】
まず、ＣＰＵ２９２は、ステップＳ９１３において、搬送ローラ２１１、搬送ローラ２１２、スラップ２４０により、原稿を反転させ、搬送路に戻させる。
【０１１３】
次に、ＣＰＵ２９２は、ステップＳ９１５において、搬送ローラ２０３〜２１０に、原稿を搬送させる。
【０１１４】
ステップＳ９１７において、ＣＰＵ２９２は、ＣＣＤ２８０に、原稿の裏面を読み取らせる。
【０１１５】
ステップＳ９１９において、ＣＰＵ２９２は、ＣＣＤ２８０により得られた裏面の読取データ５６２と、地紋パターン５６６ｂとのパターンマッチングにより、画像データ中の地紋の検出率を算出する。そして、裏面における地紋の検出率が、Ｌｅｖｅｌ１以上であるか判断する。
【０１１６】
裏面における地紋の検出率がＬｅｖｅｌ１以上である場合（ステップＳ９１９においてＹｅｓ）、ＣＰＵ２９２は、ステップＳ９１１において、印刷部１５０に画像を出力させる。
【０１１７】
裏面における地紋の検出率がＬｅｖｅｌ１以上でない場合（ステップＳ９１９においてＮｏ）、ＣＰＵ２９２は、ステップＳ９０７において、印刷部１５０に画像の出力を中止させる。
【０１１８】
なお、ＣＩＳ方式の読み取りにより得られる裏面の読取データ５６２から、裏面に地紋が含まれるかどうか判断するにあたり、上の例では、１つの判別レベル５６４を用いる例を説明したが、第１の実施の形態と同様に、２つの判別レベル５６４を用いて判断してもよい。
【０１１９】
具体的には、図１０のように、２つの判別レベル５６４（Ｌｅｖｅｌ２およびＬｅｖｅｌ３）を設定する。図１０は、第２の実施の形態において設定される判別レベル５６４の変形例について説明するための図である。ＣＣＤの読み取りにより得られる画像データから、原稿に地紋が含まれるかどうか判断するにあたり用いられる判別レベル５６４は、上述のものと同様である。ＣＩＳの読み取り結果から原稿に地紋が含まれるかどうか判断するにあたっては、Ｌｅｖｅｌ２およびＬｅｖｅｌ３の判別レベル５６４が用いられる。判断部５２８は、地紋の検出率がＬｅｖｅｌ２以下である場合は、原稿に地紋が含まれないと判断する。ここで、Ｌｅｖｅｌ２はＬｅｖｅｌ１よりも低い検出率を示す値である。また、検出率がＬｅｖｅｌ３以上である場合は、原稿に地紋が含まれると判断する。ここで、Ｌｅｖｅｌ３はＬｅｖｅｌ１よりも高い検出率を示す値である。そして、一致度がＬｅｖｅｌ２とＬｅｖｅｌ３の間にあるときは、原稿に地紋が含まれるかどうか確定できないと判断する。ＣＩＳの読み取りの精度はＣＣＤの読み取りの精度に比べて低いため、原稿が確実に地紋を含まないと判断するのに用いる判別レベルの値Ｌｅｖｅｌ２をＬｅｖｅｌ１より低く、原稿が確実に地紋を含むと判断するのに用いる判別レベルの値Ｌｅｖｅｌ３をＬｅｖｅｌ１より高く設定している。
【０１２０】
このような判別レベル５６４を用いる場合に、画像処理装置１００が行なう処理について、図１１を参照して説明する。図１１は、第２の実施の形態の変形例に係る画像処理装置１００が行なう処理を示したフローチャートである。
【０１２１】
ステップＳ１１０１において、ＣＰＵ２９２は、搬送ローラ２０２等を制御し、原稿を搬送する。
【０１２２】
ステップＳ１１０３において、ＣＰＵ２９２は、ＣＩＳ読取部２２０、ＣＣＤ２８０、可動ステージ２６０等を制御し、原稿の表面をＣＣＤ２８０に、裏面をＣＩＳ読取部２２０に読み取らせる。
【０１２３】
ステップＳ１１０５において、ＣＰＵ２９２は、ＣＣＤ２８０により得られた表面の読取データ５６２と地紋パターン５６６ｂとのパターンマッチングにより、表面における地紋の検出率を算出する。そして、地紋の検出率が、Ｌｅｖｅｌ１以上であるか判断する。
【０１２４】
表面における地紋の検出率がＬｅｖｅｌ１以上でない場合（ステップＳ１１０５においてＮｏ）、ＣＰＵ２９２は、ステップＳ１１０７において、印刷部１５０に画像の出力を中止させる。
【０１２５】
表面における地紋の検出率がＬｅｖｅｌ１以上の場合（ステップＳ１１０５においてＹｅｓ）、ＣＰＵ２９２は、ステップＳ１１０９において、ＣＩＳ読取部２２０により得られた裏面の読取データ５６２と地紋パターン５６６ｂとのパターンマッチングにより、裏面における地紋の検出率を算出する。そして、地紋の検出率が、Ｌｅｖｅｌ２以上であるか判断する。
【０１２６】
裏面における地紋の検出率がＬｅｖｅｌ２以上でない場合（ステップＳ１１０９においてＮｏ）、ＣＰＵ２９２は、ステップＳ１１０７において、印刷部１５０に画像の出力を中止させる。
【０１２７】
裏面における地紋の検出率がＬｅｖｅｌ２以上である場合（ステップＳ１１０９においてＹｅｓ）、ＣＰＵ２９２は、ステップＳ１１１１において、裏面における地紋の検出率がＬｅｖｅｌ３以上か判断する。
【０１２８】
裏面における地紋の検出率がＬｅｖｅｌ３以上である場合（ステップＳ１１１１においてＹｅｓ）、表面および裏面の両方において、地紋が検出されている。つまり、原稿の両面についてコピーが許可されている。したがって、ＣＰＵ２９２は、この場合、ステップＳ１１１３において、印刷部１５０に画像を出力させる。
【０１２９】
裏面における地紋の検出率がＬｅｖｅｌ３以上でない場合（ステップＳ１１１１においてＮｏ）、裏面に地紋が埋め込まれているかどうか判断できない。そこで、次の一連の処理により、原稿を反転させて、裏面をより読み取り精度の高いＣＣＤ２８０に読み取らせ、その読取データから、裏面が地紋を含むか判断する。
【０１３０】
まず、ＣＰＵ２９２は、ステップＳ１１１５において、搬送ローラ２１１、搬送ローラ２１２、スラップ２４０により、原稿を反転させ、搬送路に戻させる。
【０１３１】
次に、ＣＰＵ２９２は、ステップＳ１１１７において、搬送ローラ２０３〜２１０に、原稿を搬送させる。
【０１３２】
ステップＳ１１１９において、ＣＰＵ２９２は、ＣＣＤ２８０に、原稿の裏面を読み取らせる。
【０１３３】
ステップＳ１１２１において、ＣＰＵ２９２は、ＣＣＤ２８０により得られた裏面の読取データ５６２と、地紋パターン５６６ｂとのパターンマッチングにより、画像データ中の地紋の検出率を算出する。そして、裏面における地紋の検出率が、Ｌｅｖｅｌ１以上であるか判断する。
【０１３４】
裏面における地紋の検出率がＬｅｖｅｌ１以上である場合（ステップＳ１１２１においてＹｅｓ）、ＣＰＵ２９２は、ステップＳ１１１３において、印刷部１５０に画像を出力させる。
【０１３５】
裏面における地紋の検出率がＬｅｖｅｌ１以上でない場合（ステップＳ１１２１においてＮｏ）、ＣＰＵ２９２は、ステップＳ１１０７において、印刷部１５０に画像の出力を中止させる。
【０１３６】
この変形例によれば、ステップＳ１１０９において、確実に地紋を含まない原稿に対し、反転、再読取などの処理を行なわなくてよいので、処理回数を削減することができる。
【０１３７】
［第３の実施の形態］
第３の実施の形態では、複数種類の地紋（地紋パターン）からなる地紋セキュリティに利用される画像処理装置１００について説明する。
【０１３８】
一般に、原稿に埋め込まれる地紋の検出しやすさは、その地紋の種類に応じて変わる。そこで、埋め込みたい情報の種類に応じて、地紋の種類を変えることが行なわれている。例えば、コピー許可／禁止の情報、パスワードなどの重要な情報を検出されやすい地紋として埋め込まれ、その他の情報を検出しにくい地紋として埋め込まれている原稿がある。
【０１３９】
このような原稿を読み取ると、検出されやすい地紋は検出されるが、検出されにくい地紋は検出されないことがある。上記したように、より検出されやすい、例えばコピー許可／禁止等の重要な地紋が検出された場合、この時点で、検出されやすい地紋の情報によっては、検出されにくい地紋の情報を知る必要がなくなることがある。本実施の形態は、地紋の種類に応じた検出しやすさの違いを利用して、原稿の読み取り回数の削減を図るものである。なお、ここでは、地紋の種類に応じた検出しやすさの違いは、後述するパターンマッチングにおける判定の行ないやすさ、つまり、パターンの認識しやすさで判断するものとする。しかし、これに限られない。
【０１４０】
本実施の形態に係る画像処理装置１００も、他の実施の形態と同様、原稿に地紋が含まれているかの判断にあたり、判別レベル５６４を用いる。この判別レベル５６４について、図１２を参照して説明する。図１２は、第３の実施の形態において設定される判別レベル５６４について説明するための図である。
【０１４１】
本実施の形態では、原稿に含まれる地紋は、検出されやすい第１の地紋と、検出されにくい第２の地紋を含むものとする。
【０１４２】
判断部５２８は、ＣＣＤの読み取りで得られる、読取データ内での第１の地紋の検出率がＬｅｖｅｌ１以上である場合、原稿に第１の地紋が含まれると判断し、第１の地紋の検出率がＬｅｖｅｌ１以上でない場合、原稿に第１の地紋が含まれないと判断する。
【０１４３】
また、判断部５２８は、ＣＣＤの読み取りで得られる、読取データ内での第２の地紋の検出率がＬｅｖｅｌ２以上である場合、原稿に第２の地紋が含まれると判断し、第２の地紋の検出率がＬｅｖｅｌ２以上でない場合、原稿に第２の地紋が含まれないと判断する。
【０１４４】
ここで、Ｌｅｖｅｌ２はＬｅｖｅｌ１よりも高く設定されるものとする。第１の地紋よりも検出されにくい第２の地紋の検出について誤った判断がなされてしまうおそれを避けるためである。ただし、Ｌｅｖｅｌ１とＬｅｖｅｌ２との大小関係はこれに限られるものではなく、地紋の性質によって、適宜、設定される。
【０１４５】
判断部５２８は、ＣＩＳの読み取りで得られる、読取データ内での第１の地紋の検出率がＬｅｖｅｌ３以上である場合、原稿に第１の地紋が含まれると判断し、第１の地紋の検出率がＬｅｖｅｌ３以上でない場合、原稿に第１の地紋が含まれないと判断する。
【０１４６】
また、判断部５２８は、ＣＩＳの読み取りで得られる、読取データ内での第２の地紋の検出率がＬｅｖｅｌ４以上である場合、原稿に第２の地紋が含まれると判断し、第２の地紋の検出率がＬｅｖｅｌ４以上でない場合、原稿に第２の地紋が含まれるかどうか確定できないと判断する。
【０１４７】
ここで、Ｌｅｖｅｌ２がＬｅｖｅｌ１よりも高く設定されるのと同様の理由で、Ｌｅｖｅｌ４はＬｅｖｅｌ３よりも高く設定される。ただし、Ｌｅｖｅｌ３とＬｅｖｅｌ４との大小関係はこれに限られるものではなく、地紋の性質によって、適宜、設定される。
【０１４８】
また、第１の実施の形態および第２の実施の形態で説明したように、ＣＩＳ方式の読取精度がＣＣＤ方式の読取精度に比べて低いことから、Ｌｅｖｅｌ３、Ｌｅｖｅｌ４は、それぞれ、Ｌｅｖｅｌ１、Ｌｅｖｅｌ２よりも高く設定される。
【０１４９】
図１３を参照して第３の実施の形態に係る画像処理装置１００が行なう処理について説明する。
【０１５０】
なお、ここでは、第１の地紋は、コピー許可の情報を表わし、第２の地紋は、印刷日時、印刷に用いられた機器名などの印刷に関する情報を表わすものとする。そして、第１の地紋および第２の地紋が検出されたときに、原稿のコピーが許可されるものとする。
【０１５１】
ステップＳ１３０１において、ＣＰＵ２９２は、搬送ローラ２０２等を制御し、原稿を搬送する。
【０１５２】
ステップＳ１３０３において、ＣＰＵ２９２は、ＣＩＳ読取部２２０、ＣＣＤ２８０、可動ステージ２６０等を制御し、原稿の両面を読み取る。原稿の表面をＣＣＤ２８０に、原稿の裏面をＣＩＳ読取部２２０に、それぞれ、読み取らせる。
【０１５３】
ステップＳ１３０５において、ＣＰＵ２９２は、ＣＣＤ２８０により得られた表面の画像データと地紋パターンとのパターンマッチングにより、表面における第１の地紋の検出率を算出する。そして、第１の地紋の検出率が、Ｌｅｖｅｌ１以上であるか判断する。
【０１５４】
表面における第１の地紋の検出率がＬｅｖｅｌ１以上でない場合（ステップＳ１３０５においてＮｏ）、表面のコピーが許可されていないので、ＣＰＵ２９２は、ステップＳ１３０７において、印刷部１５０に画像の出力を中止させる。
【０１５５】
表面における第１の地紋の検出率がＬｅｖｅｌ４以上の場合（ステップＳ１３０５においてＹｅｓ）、ＣＰＵ２９２は、ステップＳ１３０９において、表面における第２の地紋の検出率がＬｅｖｅｌ２以上か判断する。
【０１５６】
表面における第２の地紋の検出率がＬｅｖｅｌ２以上でない場合（ステップＳ１３０９においてＮｏ）、ＣＰＵ２９２は、ステップＳ１３０７において、印刷部１５０に画像の出力を中止させる。
【０１５７】
本実施の形態では、ＣＰＵ２９２は、表面に第１の地紋あるいは第２の地紋が検出されなければ、裏面における地紋の検出率にかかわらず、出力を中止させるものとしている。このようにすることで、コピーが許可されていない面を含む原稿のコピーを確実に禁止することができる。
【０１５８】
ただし、このようにすると、裏面がコピー可能であっても、コピーされないということが起きる。そこで、ＣＰＵ２９２は、ステップＳ１３０７において、コピーが許可されていない面の出力のみを印刷部１５０に禁止させるようにしてもよい。
【０１５９】
なお、ＣＰＵ２９２は、ステップＳ１３０７において、画像の出力を中止させるものとしているが、このかわりに、「コピー禁止」の文字を重ねて出力するなど、原稿の完全なコピーを制限する処理を印刷部１５０に行なわせてもよい。
【０１６０】
表面における第２の地紋の検出率がＬｅｖｅｌ２以上の場合（ステップＳ１３０９においてＹｅｓ）、ＣＰＵ２９２は、ステップＳ１３１１において、ＣＩＳ読取部２２０により得られた裏面の画像データと地紋パターンとのパターンマッチングにより、裏面における第１の地紋の検出率を算出する。そして、第１の地紋の検出率が、Ｌｅｖｅｌ３以上であるか判断する。
【０１６１】
裏面における第１の地紋の検出率がＬｅｖｅｌ３以上でない場合（ステップＳ１３１１においてＮｏ）、裏面のコピーが許可されていないので、ＣＰＵ２９２は、ステップＳ１３０７において、印刷部１５０に画像の出力を中止させる。
【０１６２】
裏面における第１の地紋の検出率がＬｅｖｅｌ３以上である場合（ステップＳ１３１１においてＹｅｓ）、ＣＰＵ２９２は、ステップＳ１３１３において、ＣＩＳ読取部２２０により得られた裏面の画像データと地紋パターンとのパターンマッチングにより、裏面における第２の地紋の検出率を算出する。そして、第２の地紋の検出率が、Ｌｅｖｅｌ４以上であるか判断する。
【０１６３】
裏面における第２の地紋の検出率がＬｅｖｅｌ４以上である場合（ステップＳ１３１３においてＹｅｓ）、表面および裏面の両方のコピーが許可されている。したがって、ＣＰＵ２９２は、ステップＳ１３１５において、印刷部１５０に画像を出力させる。
【０１６４】
裏面における第２の地紋の検出率がＬｅｖｅｌ４以上でない場合（ステップＳ１３１３においてＮｏ）、裏面に第２の地紋が埋め込まれているかどうか判断できない。そこで、次の一連の処理により、原稿を反転させて、裏面をより読み取り精度が高いＣＣＤ２８０に読み取らせ、その読取データから、裏面が地紋を含むか判断する。
【０１６５】
まず、ＣＰＵ２９２は、ステップＳ１３１５において、搬送ローラ２１１、搬送ローラ２１２、スラップ２４０により、原稿を反転させ、搬送路に戻させる。
【０１６６】
次に、ＣＰＵ２９２は、ステップＳ１３１７において、搬送ローラ２０３〜２１０に、原稿を搬送させる。
【０１６７】
ステップＳ１３１９において、ＣＰＵ２９２は、ＣＣＤ２８０に、原稿の裏面を読み取らせる。
【０１６８】
ステップＳ１３２１において、ＣＰＵ２９２は、ＣＣＤ２８０により得られた裏面の画像データと、地紋パターンとのパターンマッチングにより、画像データ中の第２の地紋の検出率を算出する。そして、裏面における第２の地紋の検出率が、Ｌｅｖｅｌ２以上であるか判断する。
【０１６９】
裏面における第２の地紋の検出率がＬｅｖｅｌ２以上である場合（ステップＳ１３２１においてＹｅｓ）、ＣＰＵ２９２は、ステップＳ１３１５において、印刷部１５０に画像を出力させる。
【０１７０】
裏面における第２の地紋の検出率がＬｅｖｅｌ２以上でない場合（ステップＳ１３２１においてＮｏ）、ＣＰＵ２９２は、ステップＳ１３０７において、印刷部１５０に画像の出力を中止させる。
【０１７１】
本実施の形態に係る画像処理装置１００は、地紋の種類に基づく、検出されやすさ、検出されにくさを用いて地紋が含まれているかの判断を行なうため、地紋の検出に必要な処理回数を削減することができる。
【０１７２】
なお、ＣＩＳ方式の読み取りにより得られる裏面の画像データから、裏面が第２の地紋を含むかどうか判断するにあたり、上では、１つの判別レベル（Ｌｅｖｅｌ４）５６４を用いる例を説明したが、これまで説明した他の実施の形態と同様に、２つの判別レベル５６４を用いて判断してもよい。
【０１７３】
また、本実施の形態では、画像処理装置１００は、第１の地紋および第２の地紋が検出されたときに、原稿のコピーを許可するものとして説明した。しかし、所定のパターンの検出結果と、その後の処理の関係はこれに限られるものではない。例えば、第１の地紋がコピー禁止の情報であり、画像処理装置１００は、第１の地紋が検出されたときに原稿のコピーを禁止するという構成も可能である。この場合、図１３で示す場合、ステップＳ１３０５およびステップＳ１３１１のＹｅｓとＮｏの判断が逆になる。
【０１７４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１７５】
【図１】本発明に係る画像処理装置１００の概観図である。
【図２】上部ユニット１１０および下部ユニット１４０の断面図である。
【図３】本発明に係る画像処理装置１００の上面図である。
【図４】操作パネル３１０の表示の一例を示す図である。
【図５】画像処理装置１００の機能的構成を示すブロック図である。
【図６】第１の実施の形態における判別レベル５６４について説明するための図である。
【図７】第１の実施の形態に係る画像処理装置１００が行なう処理を示したフローチャートである。
【図８】第２の実施の形態における判別レベル５６４について説明するための図である。
【図９】第２の実施の形態に係る画像処理装置１００が行なう処理を示したフローチャートである。
【図１０】第２の実施の形態において設定される判別レベル５６４の変形例について説明するための図である。
【図１１】第２の実施の形態の変形例に係る画像処理装置１００が行なう処理を示したフローチャートである。
【図１２】第３の実施の形態において設定される判別レベル５６４について説明するための図である。
【図１３】第３の実施の形態に係る画像処理装置１００が行なう処理を示したフローチャートである。
【符号の説明】
【０１７６】
１００  画像処理装置、１１０  上部ユニット、１２０  原稿トレイ、１３０  原稿排紙トレイ、１４０  下部ユニット、１５０  印刷部、１５２  給紙トレイ、１５４  排紙トレイ、２０２，２０３，２０４，２０５，２０６，２０７，２０８，０２０９，２１０，２１１，２１２  搬送ローラ、２２０  ＣＩＳ読取部、２３０  部材、２４０  フラップ、２５０  原稿台、２６０  可動ステージ、２６５  光源、２７０  第１のミラー、２７２  第２のミラー、２７４  第３のミラー、２８０  ＣＣＤ、２９０  処理部、２９２  ＣＰＵ、２９４  ＲＡＭ、２９６  ＲＯＭ、２９８  フラッシュメモリ、３１０  操作パネル、３２０  入力キー、３３０  スタートキー、４１０  コピー種類欄、４２０  用紙サイズ欄、４３０  部数欄、４４０  倍率欄、４５０  濃度欄、４６０  読取条件設定欄、５１０  入力部、５２０  制御部、５３０  搬送部、５４０  反転部、５５０  画像読取部、５６０  記憶部、５７０  表示部、５８０  印刷部、５９０  ファクシミリ送受信部、５９５  ネットワーク接続部。
【図１】
0004605259.tif 000002
【図２】
0004605259.tif 000003
【図３】
0004605259.tif 000004
【図４】
0004605259.tif 000005
【図５】
0004605259.tif 000006
【図６】
0004605259.tif 000007
【図７】
0004605259.tif 000008
【図８】
0004605259.tif 000009
【図９】
0004605259.tif 000010
【図１０】
0004605259.tif 000011
【図１１】
0004605259.tif 000012
【図１２】
0004605259.tif 000013
【図１３】
0004605259.tif 000014